【手続補正書】
【提出日】平成24年6月29日(2012.6.29)
【手続補正１】
【補正対象書類名】特許請求の範囲
【補正対象項目名】全文
【補正方法】変更
【補正の内容】
【特許請求の範囲】
【請求項１】
ユーザの指定操作に基づいて、画像のクエリ領域を指定する指定手段と、
前記指定手段で指定されたクエリ領域のうち、局所特徴量を抽出するのが困難な領域を特徴抽出不可領域として表示する表示手段と、
前記クエリ領域のうち前記表示手段で前記特徴抽出不可領域として表示していない領域から抽出した局所特徴量に基づいて、記憶装置に記憶されている局所特徴量と画像とが対応付けられた画像特徴データを検索する検索手段と、
を有することを特徴とする画像検索装置。
【請求項２】
前記指定手段で指定されたクエリ領域から抽出された局所特徴量の数と閾値とを比較する比較手段を更に有し、
前記表示手段は、前記比較手段での比較の結果、前記局所特徴量の数が閾値以下の場合、前記指定手段で指定されたクエリ領域のうち、局所特徴量を抽出するのが困難な領域を特徴抽出不可領域として表示することを特徴とする請求項１記載の画像検索装置。
【請求項３】
前記表示手段で前記特徴抽出不可領域が表示された後に、ユーザの指定操作に基づいて、前記指定手段で指定されたクエリ領域を修正する修正手段を更に有することを特徴とする請求項１記載の画像検索装置。
【請求項４】
ユーザの指定操作に基づいて、画像のクエリ領域を指定する指定手段を更に有し、
前記表示手段は、前記指定手段で指定されたクエリ領域のうち、局所特徴量を抽出するのが困難な領域以外の領域を抽出可能領域として表示し、
前記検索手段は前記クエリ領域のうち前記表示手段で表示された前記抽出可能領域から抽出された局所特徴量に基づいて、記憶装置に記憶されている局所特徴量と画像とが対応付けられた画像特徴データを検索することを特徴とする請求項１記載の画像検索装置。
【請求項５】
前記指定手段で指定されたクエリ領域から抽出された局所特徴量の数と閾値とを比較する比較手段を更に有し、
前記表示手段は、前記比較手段での比較の結果、前記局所特徴量の数が閾値以下の場合、前記指定手段で指定されたクエリ領域のうち、局所特徴量を抽出するのが困難な領域以外の領域を抽出可能領域として表示することを特徴とする請求項４記載の画像検索装置。
【請求項６】
前記表示手段で抽出可能領域が表示された後に、ユーザの指定操作に基づいて、前記指定手段で指定されたクエリ領域を修正する修正手段を更に有することを特徴とする請求項４記載の画像検索装置。
【請求項７】
ユーザの指定操作に基づいて、画像のクエリ領域を指定する指定手段と、
前記指定手段で指定されたクエリ領域と局所特徴量を抽出するのが困難な領域とが重なっているか否かを判定する判定手段と、
前記判定手段で、前記指定手段で指定されたクエリ領域と局所特徴量を抽出するのが困難な領域とが重なっていないと判定された場合、前記クエリ領域から抽出された局所特徴量に基づいて、記憶装置に記憶されている局所特徴量と画像とが対応付けられた画像特徴データを検索する検索手段と、
を有することを特徴とする画像検索装置。
【請求項８】
前記判定手段で、前記指定手段で指定されたクエリ領域と局所特徴量を抽出するのが困難な領域とが重なっていると判定された場合、前記指定手段で指定されたクエリ領域と局所特徴量を抽出するのが困難な領域とが重なっている旨を前記ユーザに通知する通知手段を更に有することを特徴とする請求項７記載の画像検索装置。
【請求項９】
ユーザの指定操作に基づいて、画像のクエリ領域を指定する指定手段と、
前記指定手段で指定されたクエリ領域の全ての領域が局所特徴量を抽出するのが可能な抽出可能領域となるよう前記クエリ領域を拡大する拡大手段と、
前記指定手段で指定されたクエリ領域の全ての領域から抽出された局所特徴量に基づいて、記憶装置に記憶されている局所特徴量と画像とが対応付けられた画像特徴データを検索する検索手段と、
を有することを特徴とする画像検索装置。
【請求項１０】
画像検索装置が実行する画像検索方法であって、
ユーザの指定操作に基づいて、画像のクエリ領域を指定する指定ステップと、
前記指定ステップで指定されたクエリ領域のうち、局所特徴量を抽出するのが困難な領域を特徴抽出不可領域として表示する表示ステップと、
前記クエリ領域のうち前記表示ステップで前記特徴抽出不可領域として表示されていない領域を抽出可能領域とし、抽出可能領域から抽出された局所特徴量に基づいて、記憶装置に記憶されている局所特徴量と画像とが対応付けられた画像特徴データを検索する検索ステップと、
を含むことを特徴とする画像検索方法。
【請求項１１】
画像検索装置が実行する画像検索方法であって、
ユーザの指定操作に基づいて、画像のクエリ領域を指定する指定ステップと、
前記指定ステップで指定されたクエリ領域と局所特徴量を抽出するのが困難な領域とが重なっているか否かを判定する判定ステップと、
前記判定ステップで、前記指定ステップで指定されたクエリ領域と局所特徴量を抽出するのが困難な領域とが重なっていないと判定された場合、前記クエリ領域から抽出された局所特徴量に基づいて、記憶装置に記憶されている局所特徴量と画像とが対応付けられた画像特徴データを検索する検索ステップと、
を含むことを特徴とする画像検索方法。
【請求項１２】
画像検索装置が実行する画像検索方法であって、
ユーザの指定操作に基づいて、画像のクエリ領域を指定する指定ステップと、
前記指定ステップで指定されたクエリ領域の全ての領域が局所特徴量を抽出するのが可能な抽出可能領域となるよう前記クエリ領域を拡大する拡大ステップと、
前記指定ステップで指定されたクエリ領域の全ての領域から抽出された局所特徴量に基づいて、記憶装置に記憶されている局所特徴量と画像とが対応付けられた画像特徴データを検索する検索ステップと、
を含むことを特徴とする画像検索方法。
【請求項１３】
コンピューターを、
ユーザの指定操作に基づいて、画像のクエリ領域を指定する指定手段と、
前記指定手段で指定されたクエリ領域のうち、局所特徴量を抽出するのが困難な領域を特徴抽出不可領域として表示する表示手段と、
前記クエリ領域のうち前記表示手段で前記特徴抽出不可領域として表示されていない領域を抽出可能領域とし、抽出可能領域から抽出された局所特徴量に基づいて、記憶装置に記憶されている局所特徴量と画像とが対応付けられた画像特徴データを検索する検索手段と、として機能させるためのプログラム。
【請求項１４】
コンピューターを
ユーザの指定操作に基づいて、画像のクエリ領域を指定する指定手段と、
前記指定手段で指定されたクエリ領域と局所特徴量を抽出するのが困難な領域とが重なっているか否かを判定する判定手段と、
指定されたクエリ領域と局所特徴量を抽出するのが困難な領域とが重なっていないと判定された場合、前記クエリ領域から抽出された局所特徴量に基づいて、記憶装置に記憶されている局所特徴量と画像とが対応付けられた画像特徴データを検索する検索手段と、として機能させるためのプログラム。
【請求項１５】
コンピューターを、
ユーザの指定操作に基づいて、画像のクエリ領域を指定する指定手段と、
指定されたクエリ領域の全ての領域が局所特徴量を抽出するのが可能な抽出可能領域となるよう前記クエリ領域を拡大する拡大手段と、
指定されたクエリ領域の全ての領域から抽出された局所特徴量に基づいて、記憶装置に記憶されている局所特徴量と画像とが対応付けられた画像特徴データを検索する検索手段と、として機能させるためのプログラム。
【手続補正２】
【補正対象書類名】明細書
【補正対象項目名】０００７
【補正方法】変更
【補正の内容】
【０００７】
そこで、本発明の画像検索装置は、ユーザの指定操作に基づいて、画像のクエリ領域を指定する指定手段と、前記指定手段で指定されたクエリ領域のうち、局所特徴量を抽出するのが困難な領域を特徴抽出不可領域として表示する表示手段と、前記クエリ領域のうち前記表示手段で前記特徴抽出不可領域として表示していない領域から抽出した局所特徴量に基づいて、記憶装置に記憶されている局所特徴量と画像とが対応付けられた画像特徴データを検索する検索手段と、を有することを特徴とする。
また、本発明の画像検索装置は、ユーザの指定操作に基づいて、画像のクエリ領域を指定する指定手段と、前記指定手段で指定されたクエリ領域と局所特徴量を抽出するのが困難な領域とが重なっているか否かを判定する判定手段と、前記判定手段で、前記指定手段で指定されたクエリ領域と局所特徴量を抽出するのが困難な領域とが重なっていないと判定された場合、前記クエリ領域から抽出された局所特徴量に基づいて、記憶装置に記憶されている局所特徴量と画像とが対応付けられた画像特徴データを検索する検索手段と、を有することを特徴とする。
また、本発明の画像検索装置は、ユーザの指定操作に基づいて、画像のクエリ領域を指定する指定手段と、前記指定手段で指定されたクエリ領域の全ての領域が局所特徴量を抽出するのが可能な抽出可能領域となるよう前記クエリ領域を拡大する拡大手段と、前記指定手段で指定されたクエリ領域の全ての領域から抽出された局所特徴量に基づいて、記憶装置に記憶されている局所特徴量と画像とが対応付けられた画像特徴データを検索する検索手段と、を有することを特徴とする。